(57)【要約】【課題】ネットワーク内に接続された複数種類の電子機器に対して、その電子機器に適した電力供給方式を自動的に決定することで、消費電力を削減し、二酸化炭素の排出量を削減する。【解決手段】直流電力又は交流電力のいずれかの方式で稼働する電子機器１０と通信可能に接続され、直流電力又は交流電力のいずれかを選択的に供給可能なスイッチング電源装置５０であって、電子機器とのパケットの通信結果により、当該電子機器の種別を決定する。そして、種別が決定された電子機器１０の電力供給方式を決定し、所定のタイミングで、決定した電力供給方式に変更して、電力を供給する。【選択図】図１２
2011076486.tif 000002
【特許請求の範囲】
【請求項１】
電子機器が通信可能に接続されたスイッチング電源装置と、当該スイッチング電源装置と通信可能に接続された電力供給方式選択サーバと、から構成される電力供給方式選択システムであって、
前記スイッチング電源装置が、
前記電子機器から、当該電子機器の種別を判別するためのパケットを受信し、前記パケットを前記電力供給方式選択サーバに送信するデバイス情報送信手段を備え、
前記電力供給方式選択サーバが、
前記電子機器ごとに定められた定義ファイルを記憶する記憶手段と、
前記スイッチング電源装置から送信されたパケットの受信に応じて、前記パケットと前記電子機器ごとの定義ファイルを比較し、当該定義ファイルごとに得点化する得点化手段と、
前記得点化手段の得点化の結果として、得点が高い定義ファイルを抽出し、当該定義ファイルの電子機器種別を、前記電子機器の電子機器種別と決定して、当該電子機器種別に基づいて、当該電子機器の電力供給方式を選択する電力供給方式選択手段と、を備え、
前記スイッチング電源装置が、選択された電力供給方式のうち一の電力供給方式を決定する電力供給方式決定手段を備える電力供給方式選択システム。
【請求項２】
請求項１に記載の電力供給方式選択システムであって、前記スイッチング電源装置の電力供給方式決定手段が、前記電力供給方式選択サーバの電力供給方式決定手段が選択した電力供給方式データに基づいて、一の電力供給方式を決定し、
前記スイッチング電源装置が、決定した前記電力供給方式で電力の供給を行う電力供給方式選択システム。
【請求項３】
請求項２に記載の電力供給方式選択システムであって、前記スイッチング電源装置が、前記電力供給方式により電力を供給する際に、前記電子機器から、電力供給方式を変更するタイミングを受付け、前記タイミングに基づいて、前記電力供給方式による電力の供給を行う電力供給方式選択システム。
【請求項４】
電子機器が通信可能に接続されたスイッチング電源装置と、当該スイッチング電源装置と通信可能に接続された電力供給方式選択サーバと、から構成される電力供給方式選択システムが実行する方法であって、
前記スイッチング電源装置が、
前記電子機器から、当該電子機器の種別を判別するためのパケットを受信し、前記パケットを前記電力供給方式選択サーバに送信する種別情報送信ステップを実行し、
前記電力供給方式選択サーバが、
前記電子機器ごとに定められた定義ファイルを記憶する記憶ステップと、
前記スイッチング電源装置から送信されたパケットの受信に応じて、前記パケットと前記電子機器ごとの定義ファイルを比較し、当該定義ファイルごとに得点化する得点化ステップと、
前記得点化ステップの得点化の結果として、得点が高い定義ファイルを抽出し、当該定義ファイルの電子機器種別を、前記電子機器の電子機器種別と決定して、当該電子機器種別に基づいて、当該電子機器の電力供給方式を選択する電力供給方式選択ステップと、を実行し、
前記スイッチング電源装置が、選択された電力供給方式のうち一の電力供給方式を決定する電力供給方式決定ステップを実行する電力供給方式選択方法。
【請求項５】
電子機器が通信可能に接続されたスイッチング電源装置と、当該スイッチング電源装置と通信可能に接続された電力供給方式選択サーバと、から構成される電力供給方式選択システムを制御する電力供給方式選択システム用プログラムであって、
前記スイッチング電源装置が、
前記電子機器から、当該電子機器の種別を判別するためのパケットを受信し、前記パケットを前記電力供給方式選択サーバに送信するデバイス情報送信手段、としてコンピュータであるスイッチング電源装置を動作させるスイッチング電源装置用プログラムと、
前記電力供給方式選択サーバが、
前記電子機器ごとに定められた定義ファイルを記憶する記憶手段、
前記スイッチング電源装置から送信されたパケットの受信に応じて、前記パケットと前記電子機器ごとの定義ファイルを比較し、当該定義ファイルごとに得点化する得点化手段、
前記得点化手段の得点化の結果として、得点が高い定義ファイルを抽出し、当該定義ファイルの電子機器種別を、前記電子機器の電子機器種別と決定して、当該電子機器種別に基づいて、当該電子機器の電力供給方式を選択する電力供給方式選択手段、としてコンピュータである電力供給方式選択サーバを動作させる電力供給方式選択サーバ用プログラムと、を備え、さらに、
前記スイッチング電源装置用プログラムが、選択された電力供給方式のうち一の電力供給方式を決定する電力供給方式決定手段、としてコンピュータであるスイッチング電源装置を動作させる電力供給方式選択システム用プログラム。
【請求項６】
電子機器が通信可能に接続されたスイッチング電源装置と、当該スイッチング電源装置と通信可能に接続された機種判別サーバと、から構成される電力供給方式選択システムであって、
前記スイッチング電源装置が、
前記電子機器から、当該電子機器の種別を判別するためのパケットを受信し、前記パケットを前記機種判別サーバに送信するデバイス情報送信手段を備え、
前記機種判別サーバが、
前記電子機器ごとに定められた定義ファイルを記憶する記憶手段と、
前記スイッチング電源装置から送信されたパケットの受信に応じて、前記パケットと前記電子機器ごとの定義ファイルを比較し、当該定義ファイルごとに得点化する得点化手段と、
前記得点化手段の得点化の結果として、得点が高い定義ファイルを抽出し、当該定義ファイルの電子機器種別を、前記電子機器の電子機器種別と決定する電子機器種別決定手段と、を備え、
前記スイッチング電源装置が、当該電子機器種別に基づいて、当該電子機器の電力供給方式を決定する電力供給方式決定手段を備える電力供給方式選択システム。
【請求項７】
複数の電力供給方式のうちいずれかの方式で稼働する電子機器と通信可能に接続され、複数の電力供給方式のうち一の電力供給方式で当該電子機器に対して、電力を供給するスイッチング電源装置であって、
前記スイッチング電源装置が前記電子機器との通信結果により、当該電子機器の種別を決定する種別決定手段と、
前記種別を決定した電子機器の電力供給方式を決定する電力供給方式を決定手段と、
を決定した前記電力供給方式で当該電子機器に対して電力を供給する電力供給手段と、
を備えるスイッチング電源装置。
【請求項８】
複数の電力供給方式のうちいずれかの方式で稼働する電子機器と通信可能に接続され、複数の電力供給方式のうち一の電力供給方式で当該電子機器に対して、電力を供給するスイッチング電源装置が実行する方法であって、
前記電子機器との通信結果により、当該電子機器の種別を決定する種別決定ステップと、
前記種別を決定した電子機器の電力供給方式を決定する電力供給方式決定ステップと、
決定した電力供給方式で当該電子機器に対して電力を供給する電力供給ステップと、
を備える方法。
【発明の詳細な説明】
【技術分野】
【０００１】
本発明は、ネットワークに接続された電子機器の電力消費量を削減し、二酸化炭素の排出量を削減するスイッチング電源装置、電力供給方式選択システム、電力供給方式選択システム用プログラムに関し、特に、企業内ネットワーク又はホームネットワーク等の多数の電子機器の消費電力及び二酸化炭素の排出量を制御する技術に関する。
【背景技術】
【０００２】
近年、エネルギー資源の効率的利用及び温暖化対策のため、ソーラ発電システムを家庭で導入することが一般的となっている（非特許文献１）。非特許文献１では、ソーラパネルにより生成された直流電力をコンディショナにより交流電力に変換し、家庭用電子機器に利用することが開示されている。
【０００３】
さらに、電子機器の電力消費量を削減する目的で、直流給電を行うシステムが知られている（非特許文献２）。通常、電力会社から交流により電力が供給され、電子機器が直流電源を必要とする場合は、付随する変換アダプタにより、供給される電力の種類を交流から直流に変換して電力が供給される。しかし、この変換アダプタの使用による電力供給方式では、変換時に電力を非効率に消費するという課題があった。そこで、非特許文献２に示されるように、変換アダプタを使用せずに、電子機器に直接、直流を給電する直流給電方式が提案されている。
【先行技術文献】
【非特許文献】
【０００４】
【非特許文献１】京セラ株式会社、“京セラソーラーフランチャイズ、ソーラー発電システムの仕組み、光から電気へ。変換の仕組み”、［ｏｎｌｉｎｅ］、［２００９年８月１７日検索］、インターネット＜ＵＲＬ：ｈｔｔｐ：／／ｗｗｗ．ｋｙｏｃｅｒａ．ｃｏ．ｊｐ／ｓｏｌａｒ−ｆｃ／ｖｓ／ｓｔｒｕｃｔｕｒｅ／０２．ｈｔｍｌ＞
【非特許文献２】日経コンピュータ、“ＩＴＰｒｏ、直流給電とは”、［ｏｎｌｉｎｅ］、２００８年７月１７日、［２００９年８月１７日検索］、インターネット＜ＵＲＬ：ｈｔｔｐ：／／ｉｔｐｒｏ．ｎｉｋｋｅｉｂｐ．ｃｏ．ｊｐ／ａｒｔｉｃｌｅ／Ｋｅｙｗｏｒｄ／２００８０７１５／３１０８０７／＞
【発明の概要】
【発明が解決しようとする課題】
【０００５】
しかしながら、非特許文献２の方法であっても、電子機器ごとに直流、交流の区別を管理者が認識し、直流であれば直流用のコンセントに接続して、交流であれば交流用のコンセントに接続するというように、電子機器ごとに電力供給方式を個別に設定しなくてはならない。したがって、電子機器が多数になった場合や、設定者が電気の知識に精通していない場合は設定が困難である。設定者にとっては、単に、電子機器を電源コンセントに接続すれば、消費電力が削減される電力供給方式に自動で選択されることが望ましい。
【０００６】
本発明は、ネットワーク内に接続された複数種類の電子機器に対して、その電子機器に適した電力供給方式を自動的に決定することで、消費電力を削減し、二酸化炭素の排出量を削減するスイッチング電源装置、電力供給方式選択システム、電力供給方式選択システム用プログラムを提供することを目的とする。
【課題を解決するための手段】
【０００７】
（１）  電子機器が通信可能に接続されたスイッチング電源装置と、当該スイッチング電源装置と通信可能に接続された電力供給方式選択サーバと、から構成される電力供給方式選択システムであって、
前記スイッチング電源装置が、
前記電子機器から、当該電子機器の種別を判別するためのパケットを受信し、前記パケットを前記電力供給方式選択サーバに送信するデバイス情報送信手段を備え、
前記電力供給方式選択サーバが、
前記電子機器ごとに定められた定義ファイルを記憶する記憶手段と、
前記スイッチング電源装置から送信されたパケットの受信に応じて、前記パケットと前記電子機器ごとの定義ファイルを比較し、当該定義ファイルごとに得点化する得点化手段と、
前記得点化手段の得点化の結果として、得点が高い定義ファイルを抽出し、当該定義ファイルの電子機器種別を、前記電子機器の電子機器種別と決定して、当該電子機器種別に基づいて、当該電子機器の電力供給方式を選択する電力供給方式選択手段と、を備え、
前記スイッチング電源装置が、選択された電力供給方式のうち一の電力供給方式を決定する電力供給方式決定手段を備える電力供給方式選択システム。
【０００８】
（１）に係る発明によれば、スイッチング電源装置が、電子機器から、当該電子機器の種別を判別するためのパケットを受信し、パケットを電力供給方式選択サーバに送信し、電力供給方式選択サーバが、電子機器ごとに定められた定義ファイルを記憶し、スイッチング電源装置から送信されたパケットの受信に応じて、パケットと電子機器ごとの定義ファイルを比較し、当該定義ファイルごとに得点化し、得点化の結果として、得点が高い定義ファイルを抽出し、当該定義ファイルの電子機器種別を、電子機器の電子機器種別と決定して、電子機器種別に基づいて、当該電子機器の電力供給方式を選択し、スイッチング電源装置が、選択された電力供給方式のうち一の電力供給方式を決定する。
【０００９】
したがって、スイッチング電源装置に接続された電子機器の個々の種別を自動的に決定し、この種別に適した電力供給方式を決定する。例えば、決定する電力供給方式として、消費電力を削減する電力供給方式を優先的に選択させることで、電子機器による消費電力を削減し、結果として、二酸化炭素の排出量を削減することが可能である。
【００１０】
（２）  （１）に記載の電力供給方式選択システムであって、前記スイッチング電源装置の電力供給方式決定手段が、前記電力供給方式選択サーバの電力供給方式決定手段が選択した電力供給方式データに基づいて、一の電力供給方式を決定し、
前記スイッチング電源装置が、決定した前記電力供給方式で電力の供給を行う電力供給方式選択システム。
【００１１】
（２）に係る発明によれば、スイッチング電源装置が、電力供給方式選択サーバから送信された電力供給方式データに基づいて、電力供給方式を決定し、決定した電力供給方式で電力の供給を行う。したがって、電力供給方式選択サーバが選択し、スイッチング電源装置が決定した適切な方式で、スイッチング電源装置が電子機器に対して電力供給を行うことが可能である。
【００１２】
（３）  （２）に記載の電力供給方式選択システムであって、前記スイッチング電源装置が、前記電力供給方式により電力を供給する際に、前記電子機器から、電力供給方式を変更するタイミングを受付け、前記タイミングに基づいて、前記電力供給方式による電力の供給を行う電力供給方式選択システム。
【００１３】
（３）に係る発明によれば、スイッチング電源装置が、電力供給方式により電力を供給する際に、電子機器から、電力供給方式を変更するタイミング受付け、この受付けたタイミングに基づいて、選択された電力供給方式による電力の供給を行う。電力供給方式の変更時は、電力供給が瞬断されるため、スイッチング電源装置が電子機器とネゴシエイトを行い、電子機器の電源が切断されても問題がない適切なタイミングで電源を瞬断させ、電力供給方式を変更する。
【００１４】
（４）  電子機器が通信可能に接続されたスイッチング電源装置と、当該スイッチング電源装置と通信可能に接続された電力供給方式選択サーバと、から構成される電力供給方式選択システムが実行する方法であって、
前記スイッチング電源装置が、
前記電子機器から、当該電子機器の種別を判別するためのパケットを受信し、前記パケットを前記電力供給方式選択サーバに送信する種別情報送信ステップを実行し、
前記電力供給方式選択サーバが、
前記電子機器ごとに定められた定義ファイルを記憶する記憶ステップと、
前記スイッチング電源装置から送信されたパケットの受信に応じて、前記パケットと前記電子機器ごとの定義ファイルを比較し、当該定義ファイルごとに得点化する得点化ステップと、
前記得点化ステップの得点化の結果として、得点が高い定義ファイルを抽出し、当該定義ファイルの電子機器種別を、前記電子機器の電子機器種別と決定して、当該電子機器種別に基づいて、当該電子機器の電力供給方式を選択する電力供給方式選択ステップと、を実行し、
前記スイッチング電源装置が、選択された電力供給方式のうち一の電力供給方式を決定する電力供給方式決定ステップを実行する電力供給方式選択方法。
【００１５】
（４）に係る発明によれば、スイッチング電源装置が、電子機器から、当該電子機器の種別を判別するためのパケットを受信し、パケットを電力供給方式選択サーバに送信し、電力供給方式選択サーバが、電子機器ごとに定められた定義ファイルを記憶し、スイッチング電源装置から送信されたパケットの受信に応じて、パケットと電子機器ごとの定義ファイルを比較し、当該定義ファイルごとに得点化し、得点化の結果として、得点が高い定義ファイルを抽出し、当該定義ファイルの電子機器種別を、電子機器の電子機器種別と決定して、電子機器種別に基づいて、当該電子機器の電力供給方式を選択し、スイッチング電源装置が、選択された電力供給方式のうち一の電力供給方式を決定する。
【００１６】
したがって、スイッチング電源装置に接続された電子機器の個々の種別を自動的に決定し、この種別に適した電力供給方式を決定する。例えば、決定する電力供給方式として、消費電力を削減する電力供給方式を優先的に選択させることで、電子機器による消費電力を削減し、結果として、二酸化炭素の排出量を削減することが可能である。
【００１７】
（５）  電子機器が通信可能に接続されたスイッチング電源装置と、当該スイッチング電源装置と通信可能に接続された電力供給方式選択サーバと、から構成される電力供給方式選択システムを制御する電力供給方式選択システム用プログラムであって、
前記スイッチング電源装置が、
前記電子機器から、当該電子機器の種別を判別するためのパケットを受信し、前記パケットを前記電力供給方式選択サーバに送信するデバイス情報送信手段、としてコンピュータであるスイッチング電源装置を動作させるスイッチング電源装置用プログラムと、
前記電力供給方式選択サーバが、
前記電子機器ごとに定められた定義ファイルを記憶する記憶手段、
前記スイッチング電源装置から送信されたパケットの受信に応じて、前記パケットと前記電子機器ごとの定義ファイルを比較し、当該定義ファイルごとに得点化する得点化手段、
前記得点化手段の得点化の結果として、得点が高い定義ファイルを抽出し、当該定義ファイルの電子機器種別を、前記電子機器の電子機器種別と決定して、当該電子機器種別に基づいて、当該電子機器の電力供給方式を選択する電力供給方式選択手段、としてコンピュータである電力供給方式選択サーバを動作させる電力供給方式選択サーバ用プログラムと、を備え、さらに、
前記スイッチング電源装置用プログラムが、選択された電力供給方式のうち一の電力供給方式を決定する電力供給方式決定手段、としてコンピュータであるスイッチング電源装置を動作させる電力供給方式選択システム用プログラム。
【００１８】
（５）に係る発明によれば、スイッチング電源装置が、電子機器から、当該電子機器の種別を判別するためのパケットを受信し、パケットを電力供給方式選択サーバに送信し、電力供給方式選択サーバが、電子機器ごとに定められた定義ファイルを記憶し、スイッチング電源装置から送信されたパケットの受信に応じて、パケットと電子機器ごとの定義ファイルを比較し、当該定義ファイルごとに得点化し、得点化の結果として、得点が高い定義ファイルを抽出し、当該定義ファイルの電子機器種別を、電子機器の電子機器種別と決定して、電子機器種別に基づいて、当該電子機器の電力供給方式を選択し、スイッチング電源装置が、選択された電力供給方式のうち一の電力供給方式を決定する。
【００１９】
したがって、スイッチング電源装置に接続された電子機器の個々の種別を自動的に決定し、この種別に適した電力供給方式を決定する。例えば、決定する電力供給方式として、消費電力を削減する電力供給方式を優先的に選択させることで、電子機器による消費電力を削減し、結果として、二酸化炭素の排出量を削減することが可能である。
【００２０】
（６）  電子機器が通信可能に接続されたスイッチング電源装置と、当該スイッチング電源装置と通信可能に接続された機種判別サーバと、から構成される電力供給方式選択システムであって、
前記スイッチング電源装置が、
前記電子機器から、当該電子機器の種別を判別するためのパケットを受信し、前記パケットを前記機種判別サーバに送信するデバイス情報送信手段を備え、
前記機種判別サーバが、
前記電子機器ごとに定められた定義ファイルを記憶する記憶手段と、
前記スイッチング電源装置から送信されたパケットの受信に応じて、前記パケットと前記電子機器ごとの定義ファイルを比較し、当該定義ファイルごとに得点化する得点化手段と、
前記得点化手段の得点化の結果として、得点が高い定義ファイルを抽出し、当該定義ファイルの電子機器種別を、前記電子機器の電子機器種別と決定する電子機器種別決定手段と、を備え、
前記スイッチング電源装置が、当該電子機器種別に基づいて、当該電子機器の電力供給方式を決定する電力供給方式決定手段を備える電力供給方式選択システム。
【００２１】
（６）に係る発明によれば、スイッチング電源装置が、電子機器から、当該電子機器の種別を判別するためのパケットを受信し、パケットを機種判別サーバに送信し、機種判別サーバが、電子機器ごとに定められた定義ファイルを記憶しておき、スイッチング電源装置から送信されたパケットの受信に応じて、パケットと電子機器ごとの定義ファイルを比較し、当該定義ファイルごとに得点化して、得点化の結果として、得点が高い定義ファイルを抽出し、当該定義ファイルの電子機器種別を、電子機器の電子機器種別と決定して、当該電子機器種別に基づいて、スイッチング電源装置が当該電子機器の電力供給方式を決定する。
【００２２】
したがって、スイッチング電源装置に接続された電子機器の個々の種別を自動的に決定し、この種別に適した電力供給方式を決定する。例えば、決定する電力供給方式として、消費電力を削減する電力供給方式を優先的に選択させることで、電子機器による消費電力を削減し、結果として、二酸化炭素の排出量を削減することが可能である。
【００２３】
（７）  複数の電力供給方式のうちいずれかの方式で稼働する電子機器と通信可能に接続され、複数の電力供給方式のうち一の電力供給方式で当該電子機器に対して、電力を供給するスイッチング電源装置であって、
前記スイッチング電源装置が前記電子機器との通信結果により、当該電子機器の種別を決定する種別決定手段と、
前記種別を決定した電子機器の電力供給方式を決定する電力供給方式決定手段と、
決定した前記電力供給方式で当該電子機器に対して電力を供給する電力供給手段と、
を備えるスイッチング電源装置。
【００２４】
（７）に係る発明によれば、スイッチング電源装置が、電子機器との通信結果により、当該電子機器の種別を決定し、種別を決定した電子機器の電力供給方式を決定する。そして、決定した電力供給方式で当該電子機器に対して電力を供給する。
【００２５】
したがって、スイッチング電源装置に接続された電子機器の個々の種別を自動的に決定し、この種別に適した電力供給方式を決定する。例えば、決定する電力供給方式として、消費電力を削減する電力供給方式を優先的に選択させることで、電子機器による消費電力を削減し、結果として、二酸化炭素の排出量を削減することが可能である。
【００２６】
（８）  複数の電力供給方式のうちいずれかの方式で稼働する電子機器と通信可能に接続され、複数の電力供給方式のうち一の電力供給方式で当該電子機器に対して、電力を供給するスイッチング電源装置が実行する方法であって、
前記電子機器との通信結果により、当該電子機器の種別を決定する種別決定ステップと、
前記種別を決定した電子機器の電力供給方式を決定する電力供給方式決定ステップと、
決定した電力供給方式で当該電子機器に対して電力を供給する電力供給ステップと、
を備える方法。
【００２７】
（８）に係る発明によれば、スイッチング電源装置が、電子機器との通信結果により、当該電子機器の種別を決定し、種別を決定した電子機器の電力供給方式を決定する。そして、決定した電力供給方式で当該電子機器に対して電力を供給する。
【００２８】
したがって、スイッチング電源装置に接続された電子機器の個々の種別を自動的に決定し、この種別に適した電力供給方式を決定する。例えば、決定する電力供給方式として、消費電力を削減する電力供給方式を優先的に選択させることで、電子機器による消費電力を削減し、結果として、二酸化炭素の排出量を削減することが可能である。
【発明の効果】
【００２９】
本発明によれば、スイッチング電源装置に接続された多種の電子機器の種別を自動的に決定し、この種別に最適な電力供給方式を電子機器ごとに決定する。ここで、決定する電力供給方式として、該電子機器の消費電力を削減する電力供給方式を優先的に選択させることで、電子機器による消費電力を削減し、結果として、二酸化炭素の排出量を削減することが可能である。
【図面の簡単な説明】
【００３０】
【図１】第一実施形態における電力供給方式選択システム１の全体構成を示す図である。
【図２】第一実施形態における処理フローを示す図である。
【図３】電力供給方式対応テーブルを示す図である。
【図４】ＭＡＣアドレスの例を示す図である。
【図５】ＭＡＣアドレスメーカテーブルの一例を示す図である。
【図６】ＭＡＣアドレス機種テーブルの一例を示す図である。
【図７】ポート使用状況を示すテーブル図である。
【図８】ポート番号テーブルの一例を示す図である。
【図９】得点化処理を説明するための概念図である。
【図１０】第二実施形態における電力供給方式選択システム１の全体構成を示す図である。
【図１１】第二実施形態における処理フローを示す図である。
【図１２】第三実施形態における電力供給方式選択システム１の全体構成を示す図である。
【図１３】第三実施形態における処理フローを示す図である。
【発明を実施するための形態】
【００３１】
以下、図を参照して本発明の実施形態について説明する。
【００３２】
［第一実施形態］
図１を参照して本発明の第一実施形態に係る電力供給方式選択システム１の概要について説明する。図１は、電力供給方式選択システム１の全体構成を示す図である。
【００３３】
電力供給方式選択システム１は、電力供給方式選択サーバ４００と、スイッチング電源装置５０と、電子機器１０とから構成される。スイッチング電源装置５０と各電子機器１０は、有線又は無線により通信可能に接続されている。電力供給方式選択システム１は、ローカルエリアネットワーク、ホームネットワーク等により実現されるネットワークで通信可能となったシステムである。また、スイッチング電源装置５０が、ＷＡＮ（Ｗｉｄｅ  Ａｒｅａ  Ｎｅｔｗｏｒｋ）と接続され、公衆回線網を介して、電力供給方式選択サーバ４００と通信可能に接続されている。
【００３４】
電力供給方式選択システム１は、多数のサーバ、交換機、ルータ等の電子機器１０から構成されるデータセンタに適用されてもよい。
【００３５】
電子機器１０及び、スイッチング電源装置５０は、ローカルネットワークにより通信可能に接続されている。なお、スイッチング電源装置５０が、電子機器１０とＷＡＮ経由で接続されて、この電子機器１０の電力供給方式選択処理を、後述する処理により実行してもよい。
【００３６】
スイッチング電源装置５０は、入力電力から所望の出力電力を得る電力変換装置であって、電力供給方式である直流、交流を変換、調整するためのスイッチング素子を用いた電源装置である。スイッチング電源装置５０は、交流電力を直流電力に変換する整流装置及び、直流電力を他の直流電力に変換するＤＣ−ＤＣコンバータによって構成されてよい。
【００３７】
スイッチング電源装置５０は、直流電力の入力を受付けて、電子機器１０に対して直流電力を供給する直流分電盤５１と、交流電力の入力を受付けて、電子機器１０に対して交流電力を供給する交流分電盤５６と、電力供給方式に関するデータを電力供給方式選択サーバ４００から受信して決定する供給電源決定装置５２とから構成される。
【００３８】
ここで、直流分電盤５１には、太陽光により発電された電力を蓄積した太陽電池２００より、直流電力が供給され、交流分電盤５６には、通常の電力会社から提供される交流供給電源から、交流電力が提供される。スイッチング電源装置５０は、一の電子機器１０に対して、直流電力、交流電力の双方を同時に供給することはなく、決定された電力供給方式のいずれかで選択的に電力を供給する。
【００３９】
供給電源決定装置５２は、制御部として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、記憶部として、ハードディスク、ＳＳＤ（Ｓｏｌｉｄ  Ｓｔａｔｅ  Ｄｒｉｖｅ）のいずれか又は双方等を備え、通信部として、有線・無線対応イーサネットボード、Ｂｌｕｅｔｏｏｔｈ（登録商標）対応通信デバイス等を備える。
【００４０】
供給電源決定装置５２は、電子機器１０からパケットを受信するパケット受信手段５３と、受信したパケットを電力供給方式選択サーバ４００に送信するデバイス情報送信手段５４と、電力供給方式選択サーバ４００が選択した電力供給方式データのうち一の電力供給方式に決定する電力供給方式決定手段５５と、を備える。
【００４１】
供給電源決定装置５２は、Ｊａｖａ（登録商標）ＶＭ（Ｖｉｒｔｕａｌ  Ｍａｃｈｉｎｅ）上で動作するＯＳＧｉ（Ｏｐｅｎ  Ｓｅｒｖｉｃｅｓ  Ｇａｔｅｗａｙ  ｉｎｉｔｉａｔｉｖｅ）プラットフォームを基盤として、この上で実行されるモジュールとして、後述する各手段が実現されてよい。
【００４２】
供給電源決定装置５２は、電子機器１０が直流分電盤５１及び交流分電盤５６双方と、物理的に接続されている場合であって、かつ、直流又は交流の電力供給方式が決定されていない場合（初めて、物理的に電子機器１０がスイッチング電源装置５０に接続された場合等）は、交流電力から電力供給を受ける。その後、電力供給方式を直流電力に決定した場合は、直流電力を供給する。
【００４３】
電子機器１０は、スイッチング電源装置５０、電力供給方式選択サーバ４００と通信可能となる有線又は無線のネットワーク機能を有し、電力供給により稼働する家庭用・業務用電子機器であり、パソコン、記憶媒体再生・録画プレーヤ、ノートパソコン、テレビ、オーディオコンポ、プリンタ、電話機、ＦＡＸ機、コピー機、スキャナ機、ＭＦＰ等の情報家電のみならず、冷蔵庫、洗濯機、食器洗浄乾燥機、扇風機、エアコン、電気ストーブ、炊飯器、電子レンジ等の白物家電や、電気照明、サーバ、交換機、ルータ等も含む。
【００４４】
電子機器１０は、制御部として、ＣＰＵ２１（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）２２等を備え、記憶部として、ハードディスク、ＳＳＤ（Ｓｏｌｉｄ  Ｓｔａｔｅ  Ｄｒｉｖｅ）のいずれか又は双方等を備え、通信部として、通信Ｉ／Ｆ２３である、有線・無線対応イーサネットボード、Ｂｌｕｅｔｏｏｔｈ（登録商標）対応通信デバイス等を備える。電子機器１０は、ユーザからの入力操作を受け付ける、キーボード、リモコン、マウス、マイク等の入力部を備えていてよい。さらに、電子機器１０は、モニタ、スピーカ等の出力部を備えていてよい。
【００４５】
電子機器１０は、ＤＣ（Ｄｉｒｅｃｔ  Ｃｕｒｒｅｎｔ）アダプタ１１と、電源接続コネクタ１２と、ＡＣ（Ａｌｔｅｒｎａｔｉｎｇ  Ｃｕｒｒｅｎｔ）／ＤＣ（Ｄｉｒｅｃｔ  Ｃｕｒｒｅｎｔ）アダプタ１３と、を含む電源ユニット１５と、制御部及び通信部に対応するマザーボード２０とを備える。マザーボード２０には、電源ユニット１５の電源接続コネクタ１２からマザーボード２０のメイン用電源や、ＣＰＵ２１のＣＰＵ用電源が所定の電圧で供給される。
【００４６】
電子機器１０は、図１に示すように、直流電力、交流電力の双方から電力供給を可能とするため、ＤＣアダプタ１１と、ＡＣ／ＤＣアダプタ１３との双方を備えている。すなわち、基本的には、直流電力か交流電力のいずれかが、スイッチング電源装置５０から供給されることで、いずれかの電力供給方式を採用して、電源利用を行う。なお、電子機器１０に適切な電圧・電流で、直流電力、交流電力の双方が同時に供給された場合は、電子機器１０が、いずれかの電力供給方式（例えば、クリーンエネルギーである直流電力を優先的に選択する）を選択してもよい。
【００４７】
電力供給方式選択サーバ４００は、コンピュータであり、公衆回線網を介して、スイッチング電源装置５０、電子機器１０と通信可能に接続されている。電力供給方式選択サーバ４００は、制御部として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、記憶部として、ハードディスク、ＳＳＤ（Ｓｏｌｉｄ  Ｓｔａｔｅ  Ｄｒｉｖｅ）のいずれか又は双方等を備え、通信部として、有線・無線対応イーサネットボード、Ｂｌｕｅｔｏｏｔｈ（登録商標）等を備える。
【００４８】
電力供給方式選択サーバ４００の後述する全ての手段は、単一のハードウェア（コンピュータ）により実現されていなくてもよく、複数のサーバによりシステムを構成し、一以上の手段がシステムを構成する一のサーバにより実現され、これらの複数のサーバが通信可能に接続されることで、複数のサーバ全体のシステムとして、全ての手段が実現されてもよい。
【００４９】
電力供給方式選択サーバ４００は、スイッチング電源装置５０から送信されるデバイス情報の受信を受付けるデバイス情報受付手段４０１と、スコアリングを行う得点化手段４０２と、定義ファイルが記憶されている定義ファイルデータベース４０３と、電子機器１０の種別を決定する電子機器種別決定手段４０４と、種別が決定された電子機器１０の電力供給方式を選ぶ電力供給方式選択手段４０５と、を備える。
【００５０】
［第一実施形態の処理フロー］
図２を参照して、スイッチング電源装置５０と、電子機器１０、電力供給方式選択サーバ４００の各手段が実行する処理手順について説明する。
【００５１】
電子機器１０が、スイッチング電源装置５０の交流分電盤５６と接続されることで、スイッチング電源装置５０から電力供給を受けて、交流電源が供給される（ステップＳ０１）。交流電源が供給された電子機器１０は、電源ユニット１５のＡＣ／ＤＣアダプタ１３を経由して、マザーボード２０等の電子機器１０の各デバイスに電源が供給される。
【００５２】
次に、電子機器１０がスイッチング電源装置５０と通信可能になるように、ネットワークに物理的に接続されると、スイッチング電源装置５０にパケット（例えば、ブロードキャストパケットであるＢｏｏｔＰ、ｎｂｎｓ（Ｎｅｔ  ＢＩＯＳ  Ｎａｍｅ  Ｓｅｒｖｅｒ）パケット等）を送信する（ステップＳ０２）。これを、スイッチング電源装置５０のパケット受信手段５３が受信し、デバイス情報送信手段５４が、受信した一以上のパケットを、一のパケット群（デバイス情報）として電力供給方式選択サーバ４００に送信する（ステップＳ０３）。
【００５３】
ここで、スイッチング電源装置５０は、後述するように、電子機器１０に、リクエストパケットを送信して、これに応じて電子機器１０から送信されるレスポンスパケットを受信してもよい。この場合は、デバイス情報に、レスポンスパケットが含まれる。
【００５４】
電力供給方式選択サーバ４００のデバイス情報受付手段４０１は、デバイス情報を受信して、得点化手段４０２が、デバイス情報に基づいて、得点化処理（ステップＳ０４）を行う。すなわち、予め定義ファイルデータベース４０３に記憶された定義ファイルと、受信したデバイス情報の比較を行い、各電子機器１０の定義ファイルごとに得点化する。
【００５５】
次に、電力供給方式選択サーバ４００の電子機器種別決定手段４０４は、得点化処理された定義ファイルのうち、最も点数が高い定義ファイルを抽出し、この定義ファイルの電子機器種別を、電子機器１０の電子機器種別として決定する（ステップＳ０５）。
【００５６】
電子機器種別とは、電子機器の種類を決定するためのメーカ名、機器名、型名等が少なくとも含まれる情報である。
【００５７】
電力供給方式選択サーバ４００の電力供給方式選択手段４０５は、図３に示す電力供給方式対応テーブルを参照し、決定された電子機器１０の電子機器種別に基づいて、この電子機器１０に対応した電力供給方式データを選択する（ステップＳ０６）。選択された電力供給方式データが、スイッチング電源装置５０に送信される。
【００５８】
電力供給方式データとは、電子機器１０で対応している電力供給方式に関するデータであって、複数の電力供給方式を含む場合は、全ての電力供給方式に関するデータを含む。例えば、図３の電力供給方式対応テーブルでは、電子機器Ａが、電力供給方式として、ＤＣ４８Ｖと、ＡＣ１００Ｖと２つの電力供給方式を許容している。これら両方の電力供給方式が、電子機器Ａの電力供給方式データとなる。
【００５９】
スイッチング電源装置５０の電力供給方式決定手段５５が、この電子機器１０の電力供給方式データを受信し、電力供給方式を決定する（ステップＳ０７）。電力供給方式の決定は、スイッチング電源装置５０において、優先順位のロジックが予め決定されており、その優先順位に基づいて、決定される。
【００６０】
例えば、太陽電池２００に所定量（例えば、５０ｋｗｈ）以上の電力が蓄積されている場合には、ＡＣ（交流電力）よりも、太陽光発電で発電されたクリーンエネルギー（再生可能エネルギーであって、電気を生成するにあたっての二酸化炭素排出量が、火力発電で発電された交流電力よりも相対的に少ないと考えられる）、すなわち、ＤＣ（直流電力）を優先して接続するように優先順位を構成し、太陽電池２００に所定量以上の電力が蓄積されていない場合は、ＤＣ（直流電力）よりもＡＣ（交流電力）を優先して接続するように構成する。このロジックによれば、図３の電力供給方式決定テーブルの場合、５０ｋｗｈ以上の蓄電量がある場合には、電子機器Ａは、ＤＣ４８Ｖに電力供給方式が決定される。
【００６１】
スイッチング電源装置５０により、電力供給方式が決定されると、スイッチング電源装置５０が電子機器１０の電力供給方式を変更する。ここで、電力供給方式の変更時には、電子機器１０に対する電力供給が瞬断する。したがって、電子機器１０が、突然の電力供給停止により、電子機器１０に問題が発生する場合がある。したがって、ここでは、スイッチング電源装置５０と、電子機器１０が、電力供給方式の変更のタイミングをスケジューリングして実行する場合について説明する。
【００６２】
スイッチング電源装置５０は、電力供給方式を決定すると、電子機器１０の現在の電力供給方式と異なる電力供給方式に決定されたか否かを判断する。異なる電力供給方式に決定されたと判断した場合は、電子機器１０に対して、電力供給方式を変更する旨を通知する。通知を受けた電子機器１０は、スケジュール受付処理を実行する（ステップＳ０８）。
【００６３】
スケジュール受付処理とは、電子機器１０を視聴しているユーザに対して、電力供給方式の変更があるため、電源をオフにしてもよいタイミングを受付ける処理である。例えば、電子機器１０は、「節電のため、電力供給方式を変更しますので、電源を切断してもよいタイミングをお知らせください」というメッセージを、電子機器１０の出力部に出力する。そして、電子機器１０は、ユーザから、変更するタイミング（時刻又は日時）を、入力部を介して、受け付け、入力されたタイミングを記憶する。この一連の処理が、スケジュール受付処理に該当する。
【００６４】
電子機器１０は、スケジュール受付処理により受付けて記憶された、タイミングのデータを、スイッチング電源装置５０に送信し、スイッチング電源装置５０が、電力供給方式を変更する時刻又は日時として決定する（ステップ０９）。
【００６５】
電子機器１０は、スケジュールした時刻になったことを判断し、電力供給方式の変更要求をスイッチング電源装置５０に送信する（ステップＳ１０）。電子機器１０は、送信後に、電源をオフにして待機（ステップＳ１１）し、スイッチング電源装置５０が，電力供給方式変更要求に基づいて、電力供給方式を変更する（ステップＳ１２）。これに応じて、電子機器１０は、再起動を行う（ステップＳ１３）。再起動は、ユーザが実行してもよい。再起動後は、変更された電力供給方式で電力が供給される。
【００６６】
図１の電子機器１０であれば、交流分電盤５６から、ＡＣ／ＤＣアダプタ１３を介して、電子機器１０の各デバイスに電力が供給され、電力供給方式が変更された後は、直流分電盤５１から、ＤＣアダプタ１１を介して、電子機器１０の各デバイスに電力が供給される。
【００６７】
［種別決定処理］
以下で、上述のステップＳ０２からＳ０５までで、電子機器種別が決定される処理について説明する。
まず、スイッチング電源装置５０がリクエストパケットを送信する。ここで、リクエストパケットとは、電子機器１０の種別を判別するためのレスポンスパケットを受信するために、スイッチング電源装置５０が、電子機器１０に送信するパケットデータである。
【００６８】
リクエストパケットは、例えば、ＡＲＰ（Ａｄｄｒｅｓｓ  Ｒｅｓｏｌｕｔｉｏｎ  Ｐｒｏｔｏｃｏｌ）、ＩＣＭＰ（Ｉｎｔｅｒｎｅｔ  Ｃｏｎｔｒｏｌ  Ｍｅｓｓａｇｅ  Ｐｒｏｔｏｃｏｌ）、ＢｏｏｔＰ、ＳＮＭＰ（Ｓｉｍｐｌｅ  Ｎｅｔｗｏｒｋ  Ｍａｎｅｇｅｍｅｎｔ  Ｐｒｏｃｏｌ）等のコマンドであってよく、ｕＰｎＰ（Ｕｎｉｖｅｒｓａｌ  Ｐｌｕｇ  ａｎｄ  Ｐｌａｙ）、ＤＬＮＡ（Ｄｉｇｉｔａｌ  Ｌｉｖｉｎｇ  Ｎｅｔｗｏｒｋ  Ａｌｌｉａｎｃｅ）準拠のプロトコルであってよい。
【００６９】
次に、スイッチング電源装置５０のパケット受信手段５３は、所定の電子機器１０からレスポンスパケットを受信する。
【００７０】
レスポンスパケットとは、電子機器１０から送信されるパケットであって、電子機器１０の種別を判別するため、あるいは、電子機器１０の種別を判別する手がかりとなる、パケットデータである。
【００７１】
ここで、スイッチング電源装置５０が、リクエストパケットを電子機器１０に対して送信せずに電子機器１０が所定のタイミングでスイッチング電源装置５０に対して送信するブロードキャストのパケット及び、マルチキャストのパケット（パッシブパケット）を、レスポンスパケットとして処理を行ってもよい。この場合には、レスポンスパケットは、リクエストパケットの応答パケットではなく、スイッチング電源装置５０が電子機器１０から受信したブロードキャストパケット、マルチキャストパケット等である。
【００７２】
次に、スイッチング電源装置５０のデバイス情報送信手段５４は、受信した一以上のレスポンスパケットをパケット群とし、これをデバイス情報として、電力供給方式選択サーバ４００に送信する。
【００７３】
電力供給方式選択サーバ４００は、定義ファイル参照処理を行う。電力供給方式選択サーバ４００は、定義ファイルデータベース４０３に記憶された定義ファイルを参照し、比較して、次の得点化処理を行う。
【００７４】
定義ファイルとは、電子機器１０ごとに予め定められたデータであって、電子機器１０の種別を決定するために必要なデータである。図９を参照すると、定義ファイル（電子機器Ａ定義ファイル）は、１以上の定義項目（Ｘ５，Ｙ２，Ｚ３）からなり、定義項目の一つ一つを得点化して、同様に得点化した定義ファイル（電子機器Ｂ定義ファイル、電子機器Ｃ定義ファイル）と比較し、各定義項目の総合点が高い定義ファイルを、電子機器１０の種別であると決定する。したがって、定義項目とは、この電子機器１０であれば、Ａのリクエストパケットを受信すると、レスポンスパケットとして、Ｂのパケットを送信すると予め調べておき、これが定義された項目である。
【００７５】
電力供給方式選択サーバ４００は、デバイス情報を受信すると、定義ファイルと、デバイス情報のレスポンスパケットを比較して、定義ファイルごと（電子機器Ａ定義ファイル、電子機器Ｂ定義ファイル、電子機器Ｃ定義ファイルごと）に得点化（スコアリング）を行う。
【００７６】
得点化について、図９を参照して説明する。電力供給方式選択サーバ４００は、レスポンスパケット（Ｘ５，Ｙ８，Ｚ９）と、電子機器１０毎の定義ファイル（電子機器Ａ定義ファイル、電子機器Ｂ定義ファイル、電子機器Ｃ定義ファイル）の定義項目を参照し、レスポンスパケットと比較する。
【００７７】
例えば、スイッチング電源装置５０が、リクエストパケットとして、ＡＲＰコマンドを送信し、このレスポンスをある電子機器１０から受信した場合で説明する。スイッチング電源装置５０が、ＡＲＰコマンドをターゲットの電子機器１０に送信することで、ターゲットの電子機器１０のＭＡＣアドレスの情報を含むパケットをレスポンスパケットとして受信する。
【００７８】
図４に示すように、ＭＡＣアドレスは、４８Ｂｉｔの符号からなり、上位２４ＢｉｔがベンダーＩＤとして、ベンダー固有のＩＤが付与され、次の８Ｂｉｔが機種ＩＤである。
【００７９】
そして、定義ファイルデータベース４０３には、電子機器毎の定義ファイルを構成するための、テーブルが記憶されていてよい。例えば、図５に示すように、ＭＡＣアドレスメーカテーブルとして、上位２４Ｂｉｔの符号と、電子機器１０のメーカ名（必ずしも、製造元のベンダー名でなくてよく、通信Ｉ／Ｆを備える電子機器１０全体のベンダー（メーカ）名であってよい）と、得点化のためのポイントと、ＩＤとが関係付けられている。さらに、図６に示すように、ＭＡＣアドレス機種テーブルとして、上位２４Ｂｉｔの符号と、電子機器１０の機種名と、得点化のためのポイントと、ＩＤとが関係付けられている。
【００８０】
このＭＡＣアドレスメーカテーブルと、ＭＡＣアドレス機種テーブルの、各要素を抽出することで、定義項目となり、電子機器毎の定義ファイルを構成する。例えば、ＭＡＣアドレスメーカテーブルのＩＤ００１が、電子機器Ａ定義ファイルのＸ５（図９参照）（定義項目Ｘ５）に該当し、ＭＡＣアドレス機器テーブルのＩＤ０１０が、電子機器Ａ定義ファイルのＹ２（定義項目Ｙ２）に該当する。
【００８１】
リクエストパケットとして送信されたＡ１のパケットを受けて、電子機器１０は、レスポンスパケットを送信する。このレスポンスパケット（Ｘ５）と、電子機器Ａの定義ファイルの定義項目を比較して、同一であれば、各テーブルを参照して、ポイントを付与する。
【００８２】
例えば、上記の例で、レスポンスパケットＸ５が、ターゲットのＭＡＣアドレスの情報を含むパケットであって、４８Ｂｉｔの符号が「０４−Ａ３−４３−５Ｆ−４３−２３」である場合で説明する。上位２４Ｂｉｔが定義項目Ｘ５（ＩＤ００１）と同一であるため、０．３のポイントを付与する。さらに、次の８Ｂｉｔにおいても、定義項目（ＩＤ０１０）と同一であるため、０．３のポイントを付与する。したがって、電子機器Ａ定義ファイルは、合計０．６ポイントを取得することができる。
【００８３】
なお、上記の例では、一のリクエストパケット（Ａ１）に対して、レスポンスパケット（Ｘ５）により、２つの定義項目（ＩＤ００１、ＩＤ０１０）に対して得点化しているが、このように、一のレスポンスパケットから複数の定義項目を得点化する態様であってよい。
【００８４】
次に、電力供給方式選択サーバ４００は、レスポンスパケットＹ８を、電子機器Ａ定義ファイルのＹ２と比較して、レスポンスパケットＺ９を、電子機器Ａ定義ファイルのＺ３と比較して、各ポイントを取得する（図９参照）。電子機器Ａ定義ファイルの総合点は、このようにして求めた全てのポイントを足し合わせたものである。これを、電子機器Ａ定義ファイル、電子機器Ｂ定義ファイル、電子機器Ｃ定義ファイル・・と、全ての電子機器ごとの定義ファイルに対して、総合点を求める。
【００８５】
上記の説明では、レスポンスパケットＸ５と定義項目Ｘ５が同一である場合で説明したが、同一に限らず、類似度で判断してもよい。
【００８６】
類似度で判断する例として、レスポンスパケットＸ５の上位２４Ｂｉｔの上位１６Ｂｉｔまでが同一であれば０．２ポイントを付与し、上位８Ｂｉｔまでが同一であれば、０．１ポイントを付与する態様（パケットの文字列の類似度で判断する）であってよい。このようにすることで、レスポンスパケットと定義項目の類似度が高いとポイントを高くするといったように、ポイントの値を調整することができる。
【００８７】
次に、電力供給方式選択サーバ４００の電子機器種別決定手段４０４が、電子機器１０の種別を決定する。すなわち、上記のような得点化を、全ての電子機器１０の定義ファイルで行い、取得した得点を比較して、得点が高い定義ファイルを抽出することで、電子機器１０の種別を決定する。
【００８８】
例えば、前述の説明のように、電子機器Ａ定義ファイル、電子機器Ｂ定義ファイル、電子機器Ｃ定義ファイル・・と、全ての電子機器ごとの定義ファイルに対して、総合点を求め、最も得点の高い電子機器の定義ファイルを抽出して、電子機器１０の種別を決定する。
【００８９】
図９を用いて説明すると、例えば、レスポンスパケット（Ｘ５，Ｙ８，Ｚ９）と電子機器Ａ定義ファイル（Ｘ５，Ｙ２，Ｚ３）のＸ５が同一であるため、電子機器Ａ定義ファイルでは、０．６ポイントを取得するとする。これに対して、電子機器Ｂ定義ファイルの各定義項目（Ｘ１，Ｙ７，Ｚ１）は、レスポンスパケット（Ｘ５，Ｙ８，Ｚ９）と、どれも同一ではないが、類似度を考慮して、０．３ポイントを取得できたとする。
【００９０】
そして、電子機器Ｃ定義ファイル（Ｘ５，Ｙ８，Ｚ８）は、レスポンスパケット（Ｘ５，Ｙ８，Ｚ９）と、定義項目Ｙ８が同一であるため、電子機器Ａ定義ファイルでは、０．９ポイントを取得したとする。この場合には、電子機器ＡからＣの定義ファイルのうち、電子機器Ｃの定義ファイルが最も高い総合点（０．９ポイント）であると決定し、定義ファイルＣを抽出するため、電子機器１０の種別は、電子機器Ｃと決定される。
【００９１】
一例として、電子機器Ａ定義ファイルを、Ａ社というメーカ名までの定義ファイルとして、電子機器Ｂ定義ファイルを、Ａ社というメーカ名に加えて、機器の種別の一つである（ＡＢ−０１）まで特定できる定義ファイルとする。この場合は、ある電子機器１０が、Ａ社製で、ＡＢ−０１という種別である場合には、電子機器Ａ定義ファイルよりも、電子機器Ｂ定義ファイルの方が、ポイントが高くなる。したがって、電子機器１０は、総合点が高くなる、電子機器Ｂ（Ａ社のＡＢ−０１）であると決定される。
【００９２】
逆に、ある電子機器１０が、Ａ社製で、ＢＣ−０３という種別である場合には、Ａ社製というところまで、電子機器Ａもしくは電子機器Ｂの定義ファイルにより特定できる。したがって、機器名は特定できないが、少なくとも、メーカ名までは特定が可能であり、段階的に、電子機器の種別を決定することができる。
【００９３】
ＭＡＣアドレス以外の得点化のための判断要素として、図７、図８を用いてＴＣＰ／ＩＰのポートにより判断する例について説明する。電子機器１０で特別に使用（バインド）されるポート番号の使用状況により、電子機器１０の種別を決定する。
【００９４】
図７に示すように、電子機器Ｘは、ポート番号５０００、５００２番が、使用中であり、５００１番は使用していないとする。例えば、ＮＥＴＳＴＡＴコマンドにより、このステイタスを検知する。そして、図８に示すように、定義ファイルデータベース４０３に記憶されたポート番号テーブルを参照して、使用中（バインド中）のポート番号を比較して、ＩＤ１００の定義項目と同一を判断して、ポイントを付与する。ポート番号５０００、５００２番は、使用中であり、５００１番は使用していない場合は、ポイントが０．２付与される。
【００９５】
ＮＥＴＳＴＡＴコマンドを使用する場合は、リクエストパケットとして、ＮＥＴＳＴＡＴコマンドが、相手となる電子機器１０にパケットを送信してもよいが、スイッチング電源装置５０は、電子機器１０から、ブロードキャスト又はマルチキャストのパケットを予め受信しており、これらの受信したパケットを利用して、ＮＥＴＳＴＡＴのコマンド結果を得てもよい。
【００９６】
すなわち、スイッチング電源装置５０が、リクエストパケットとなるＮＥＴＳＴＡＴコマンドを、電子機器１０に対して送信しなくても、これまでに受信していた電子機器１０から送信されるブロードキャスト又はマルチキャストのパケット（ポート番号のバインド状態を通知するパケット等）に基づいて、上記の得点化処理が行われてもよい。
【００９７】
なお、ポイントの付与は、ポート番号テーブルのポート番号とバインドの状態が完全に同一の場合のみではなく、存在するポートの何割が使用中であり、何割が不使用であるかということを判別して、使用程度（使用程度が完全に同一ではないが類似の程度）に応じてポイントが付与されてもよい。例えば、テーブルとして、ポートの使用程度とポイントが対応付けられて予め記憶されているとする。この場合、ポート番号５０００、５００２番は、使用中であり、５００１番は使用していないときに、６６％のポートが使用中である。したがって、６６％のポートが使用中のときに、テーブルを参照して、所定のポイントを付与するといった処理である。
【００９８】
さらに、ＯＳ（Ｏｐｅｒａｔｉｎｇ  Ｓｙｓｔｅｍ）のバージョンを確定して、ポイントの付与を実行してもよい。例えば、ブロードキャストに送信されるレスポンスパケットとして、ｎｂｎｓ（Ｎｅｔ  ＢＩＯＳ  Ｎａｍｅ  Ｓｅｒｖｅｒ）パケットを受信して、ＯＳのバージョン情報を取得し、これに基づいて、ＯＳを特定し、特定されたＯＳのバージョンに基づいて、ポイントが付与されてもよい。
【００９９】
例えば、電子機器ＡＢ−０１の定義ファイルに、定義項目として、「ＯＳのバージョンが「Ｘ型」を使用している場合には、ポイントを０．５加算する」と登録されているとする。このとき、ｎｂｎｓパケットにより、ＯＳのバージョンが「Ｘ型」と特定されると、電子機器ＡＢ−０１のポイントを０．５加算する。
【０１００】
［第二実施形態：機器判別サーバ］
次に、第二実施形態として、図１０に基づいて、機器判別サーバ５００により、電子機器１０の種別を決定し、スイッチング電源装置５０が、電力供給方式を決定する実施形態について説明する。
【０１０１】
第二実施形態における、電力供給方式選択システム１は、機器判別サーバ５００と、スイッチング電源装置５０と、電子機器１０と、太陽電池２００とから構成される。
【０１０２】
スイッチング電源装置５０を構成する、直流分電盤５１、供給電源決定装置５２、交流分電盤５６は、供給電源決定装置５２の電力供給方式決定手段５５を除いて、第一実施形態と同様の機能構成、ハードウェア構成及び機能を有する。
【０１０３】
電子機器１０は、第一実施形態と同様の機能構成、ハードウェア構成を有し、電子機器１０を構成する、電源ユニット１５、マザーボード２０は、第一実施形態と同様の機能を有する。太陽電池２００は、第一実施形態と同様のハードウェア構成及び機能を有する。
【０１０４】
機器判別サーバ５００は、コンピュータであり、公衆回線網を介して、スイッチング電源装置５０、電子機器１０と通信可能に接続されている。機器判別サーバ５００は、制御部として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、記憶部として、ハードディスク、ＳＳＤ（Ｓｏｌｉｄ  Ｓｔａｔｅ  Ｄｒｉｖｅ）のいずれか又は双方等を備え、通信部として、有線・無線対応イーサネットボード、Ｂｌｕｅｔｏｏｔｈ（登録商標）等を備える。
【０１０５】
機器判別サーバ５００の後述する全ての手段は、単一のハードウェア（コンピュータ）により実現されていなくてもよく、複数のサーバによりシステムを構成し、一以上の手段がシステムを構成する一のサーバにより実現され、これらの複数のサーバが通信可能に接続されることで、複数のサーバ全体のシステムとして、全ての手段が実現されてもよい。
【０１０６】
機器判別サーバ５００は、デバイス情報受付手段５０１、得点化手段５０２、定義ファイルデータベース５０３、電子機器種別決定手段５０４を備える。デバイス情報受付手段５０１は、第一実施形態における電力供給方式選択サーバ４００のデバイス情報受付手段４０１と同様の機能を有する。得点化手段５０２は、第一実施形態における電力供給方式選択サーバ４００の得点化手段４０２と同様の機能を有する。定義ファイルデータベース５０３は、第一実施形態における電力供給方式選択サーバ４００の定義ファイルデータベース４０３と同様の機能を有する。電子機器種別決定手段５０４は、第一実施形態における電力供給方式選択サーバ４００の電子機器種別決定手段４０４と同様の機能を有する。
【０１０７】
［第二実施形態の処理フロー］
図１１を参照して、スイッチング電源装置５０と、電子機器１０、機器判別サーバ５００の各手段が実行する処理手順について説明する。
【０１０８】
ステップＳ２０からステップＳ２２までは、第一実施形態のステップＳ０１からステップＳ０３と同様であるが、ステップＳ２２において、スイッチング電源装置５０のデバイス情報送信手段５４は、機器判別サーバ５００に対して、デバイス情報を送信する。機器判別サーバ５００のデバイス情報受付手段５０１は、このデバイス情報を受信する。そして、機器判別サーバ５００の得点化手段５０２と電子機器種別決定手段５０４は、それぞれ第一実施形態と同様に、得点化処理、電子機器種別決定処理を実行する（ステップＳ２３，Ｓ２４）。
【０１０９】
ここで、電子機器種別決定処理において、機器判別サーバ５００の電子機器種別決定手段５０４は、決定した電子機器種別のデータをスイッチング電源装置５０に送信する。スイッチング電源装置５０の電力供給方式決定手段５５は、受信した電子機器種別のデータに基づいて、電力供給方式を決定する（ステップＳ２５）。
【０１１０】
スイッチング電源装置５０の電力供給方式決定手段５５は、電子機器種別決定処理のために、図３の電力供給方式対応テーブルを記憶しておき、機器判別サーバ５００から送信された電子機器種別のデータに基づいて、電力供給方式対応テーブルを参照し、この電子機器１０に対応した電力供給方式データを選択する。そして、選択された電力供給方式選択データのうち、一の電力供給方式を、第一実施形態と同様の優先順位のロジックにより決定する。
【０１１１】
スイッチング電源装置５０により、電力供給方式が決定されると、スイッチング電源装置５０が電子機器１０の電力供給方式を変更する。ここで、第一実施形態と同様に、変更時に瞬断が生じるため、ステップＳ２６〜ステップＳ３１に示すように、スケジュール受付処理に基づいて、電力供給方式が変更される。
【０１１２】
このように、第二実施形態によれば、機器判別サーバ５００が、電子機器１０の種別を判別することで、この種別に関する情報に基づいて、スイッチング電源装置５０が電力供給方式を決定できる。
【０１１３】
［第三実施形態：スイッチング電源装置単独による電力供給方式の決定］
次に、第三実施形態として、図１２に基づいて、スイッチング電源装置５０が単独で、電子機器１０の種別を決定し、電力供給方式を決定する実施形態について説明する。
【０１１４】
第三実施形態における、電力供給方式選択システム１は、スイッチング電源装置５０と、電子機器１０と、太陽電池２００とから構成される。
【０１１５】
スイッチング電源装置５０は、第一実施形態と同様のハードウェア構成であってよく、直流分電盤５１、供給電源決定装置５２、交流分電盤５６で構成される。直流分電盤５１、交流分電盤５６は、第一実施形態と同様の機能を有する。
【０１１６】
供給電源決定装置５２は、パケット受信手段５３、得点化手段６０２、定義ファイルデータベース６０３、電子機器種別決定手段６０４、電力供給方式決定手段５５から構成される。パケット受信手段５３は、第一実施形態におけるパケット受信手段５３と同様の機能を有する。得点化手段６０２は、第一実施形態における電力供給方式選択サーバ４００の得点化手段４０２と同様の機能を有する。定義ファイルデータベース６０３は、第一実施形態における電力供給方式選択サーバ４００の定義ファイルデータベース４０３と同様の機能を有する。電子機器種別決定手段６０４は、第一実施形態における電力供給方式選択サーバ４００の電子機器種別決定手段４０４と同様の機能を有する。電力供給方式決定手段５５は、第二実施形態における電力供給方式決定手段５５と同様の機能を有する。
【０１１７】
［第三実施形態の処理フロー］
図１３を参照して、スイッチング電源装置５０と、電子機器１０の各手段が実行する処理手順について説明する。
【０１１８】
ステップＳ５０からステップＳ５１までは、第一実施形態のステップＳ０１からステップＳ０２と同様である。スイッチング電源装置５０のパケット受信手段５３は、電子機器１０から送信されたパケット（レスポンスパケット、ブロードキャストパケット）を受信する（ステップＳ５２）。そして、得点化手段６０２と電子機器種別決定手段６０４は、それぞれ第一実施形態と同様に、得点化処理、電子機器種別決定処理を実行する（ステップＳ５３，Ｓ５４）。
【０１１９】
スイッチング電源装置５０の電力供給方式決定手段５５は、電子機器種別決定処理により決定した電子機器種別に基づいて、電力供給方式を決定する（ステップＳ５５）。すなわち、第二実施形態と同様に、スイッチング電源装置５０は、電子機器種別決定処理のために、図３の電力供給方式対応テーブルを記憶しておき、決定された電子機器種別に基づいて、電力供給方式対応テーブルを参照し、この電子機器１０に対応した電力供給方式データを選択する。そして、選択された電力供給方式選択データのうち、一の電力供給方式を、第一実施形態と同様の優先順位のロジックにより決定する。
【０１２０】
スイッチング電源装置５０により、電力供給方式が決定されると、スイッチング電源装置５０が電子機器１０の電力供給方式を変更する。ここで、第一実施形態と同様に、変更時に瞬断が生じるため、ステップＳ５６〜ステップＳ６１に示すように、スケジュール受付処理に基づいて、電力供給方式が変更される。
【０１２１】
このように、第三実施形態によれば、スイッチング電源装置５０が、電子機器１０の種別を決定し、この種別に関する情報に基づいて、電力供給方式を単独で決定できる。
【０１２２】
上述した手段、機能は、コンピュータ（ＣＰＵ，情報処理装置，各種端末を含む）が、所定のアプリケーションプログラムを読み込んで、実行することによって実現される。アプリケーションプログラムは、例えば、フレキシブルディスク、ＣＤ（ＣＤ−ＲＯＭ等）、ＤＶＤ（ＤＶＤ−ＲＯＭ、ＤＶＤ−ＲＡＭ等）等のコンピュータ読取可能な記録媒体に記録された形態で提供される。この場合、コンピュータはその記録媒体からアプリケーションプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【０１２３】
さらに、公衆回線ネットワーク経由で、サーバからアプリケーションプログラムの一部又は全てが提供されてもよく、上述の方法が、ＳａａＳ（Ｓｏｆｔｗａｒｅ  ａｓ  ａ  Ｓｅｒｖｉｃｅ）型のサービスとして提供されてもよい。すなわち、この場合は、サーバから上述の処理を実行するプログラムの一部を送信して、端末側で実行し、サーバ側のプログラムと協働して実現される。
【０１２４】
以上、本発明の実施形態について説明したが、本発明は本実施形態に限定されるものではなく、本発明の目的を達成できる範囲での変形、改良等は本発明に含まれるものである。
【符号の説明】
【０１２５】
１  電力供給方式選択システム
１０  電子機器
５０  スイッチング電源装置
４００  電力供給方式選択サーバ
５００  機器判別サーバ
【図１】
2011076486.tif 000003
【図２】
2011076486.tif 000004
【図３】
2011076486.tif 000005
【図４】
2011076486.tif 000006
【図５】
2011076486.tif 000007
【図６】
2011076486.tif 000008
【図７】
2011076486.tif 000009
【図８】
2011076486.tif 000010
【図９】
2011076486.tif 000011
【図１０】
2011076486.tif 000012
【図１１】
2011076486.tif 000013
【図１２】
2011076486.tif 000014
【図１３】
2011076486.tif 000015